(57)【要約】【課題】本発明は、パワーセーブ手段を備えた印刷装置において、電源切断時直前の装置状態に拘わらず、保持時間を適切なほぼ一定時間にすることのできる印刷装置の電源制御方法を提供することにある。【解決手段】本発明は、各部位への電源の供給を制限するパワーセーブ手段（８）を備えた印刷装置１の電源制御方法において、電源６の切断を検出した後、印刷装置の状態に応じて任意の待機時間を設定し、その設定した待機時間経過後にパワーセーブ手段（８）を操作して電源出力を垂下させるようにしたのである。  上記方法を採ることで、電源切断直前における消費電力が印刷装置の状態によって異なっていても、電源切断検出後に印刷装置の状態に応じた所定の時間を経過させて消費電力の調整を行えるので、保持時間を適切なほぼ一定時間にすることができるのである。【選択図】図１
2006069190.tif 000002
【特許請求の範囲】
【請求項１】
上位装置からの受信データに基づいて印刷出力を行う手段と、所定時間、上位装置から受信データがない場合に各部位への電源の供給を制限するパワーセーブ手段と、電源の切断を検出して電源切断信号を出力する電源切断監視手段とを有する印刷装置の電源制御方法において、電源の切断を検出した後、印刷装置の状態に応じて待機時間を設定し、設定した待機時間経過後にパワーセーブ手段を操作して電源出力を垂下させるようにしたことを特徴とする印刷装置の電源制御方法。
【請求項２】
前記パワーセーブ手段が機能していないときには、電源の切断を検出した後、設定された待機時間経過後に前記パワーセーブ手段を機能させて電源出力を垂下させるようにしたことを特徴とする請求項１記載の印刷装置の電源制御方法。
【請求項３】
前記設定された待機時間を、電源切断時における装置の状態に応じて設定するようにしたことを特徴とする請求項２記載の印刷装置の電源制御方法。
【請求項４】
前記パワーセーブ手段が機能しているときには、電源の切断を検出した後、設定された待機時間経過後に前記パワーセーブ手段の機能を停止させて電源出力を垂下させるようにしたことを特徴とする請求項１記載の印刷装置の電源制御方法。
【請求項５】
前記設定された待機時間を、電源切断時における前記パワーセーブ手段のパワーセーブモードに応じて設定するようにしたことを特徴とする請求項４記載の印刷装置の電源制御方法。
【発明の詳細な説明】
【技術分野】
【０００１】
本発明は印刷装置の電源制御方法に係り、特に、パワーセーブ手段を備えた印刷装置の電源制御方法に関する。
【背景技術】
【０００２】
従来の印刷装置においては、電源を切断すると、電源部に実装されているコンデンサに蓄えられた電荷により、微少時間継続して電力が出力されるので、この微少時間を利用して不揮発性メモリへのデータの書き込みや上位装置への電力切断報告等の電源切断処理を行っている印刷装置が知られている。
【０００３】
また、パワーセーブ手段を備えた印刷装置は、待機中における各部位への電力の供給を制限して消費電力の低減を図るものであり、例えば特許文献１に示すように、既に知られている。
【０００４】
前記パワーセーブ手段を備え、かつ電源切断時に不揮発性メモリへのデータの書き込みや上位装置への電力切断報告等の電源切断処理を行っている印刷装置において、特許文献２に示すように、電源切断後、電力が継続して出力保持される微少時間（以下、保持時間）を延長制御する技術が既に知られている。
【０００５】
【特許文献１】特開２００１−８０１６４号公報
【特許文献２】特開２００４−１２２４３１号公報
【発明の開示】
【発明が解決しようとする課題】
【０００６】
従来の保持時間を延長制御する技術においては、特許文献２に示すように、パワーセーブモードでない状態（非パワーセーブモード状態）で電源切断を検出した際に、パワーセーブモードに切り替える制御方法であり、保持時間の延長方向への制御は可能であるが、保持時間の短縮方向への制御はできなかった。また、パワーセーブモードを複数種備えている場合、電源切断時に任意のパワーセーブモードに切り替えることにより、保持時間を具備しているパワーセーブモードの種類に対応した複数種に設定することは可能であるが、適切な任意の時間に設定することができなかった。
【０００７】
したがって、従来技術の保持時間延長制御においては、保持時間を適切な値以上に延長してしまい、オペレータの誤解や誤操作の要因となる場合があった。
【０００８】
本発明の目的は、パワーセーブ手段を備えた印刷装置において、電源切断時直前の装置状態に拘わらず、保持時間を適切なほぼ一定時間にすることのできる印刷装置の電源制御方法を提供することにある。
【課題を解決するための手段】
【０００９】
本発明は上記目的を達成するために、各部位への電源の供給を制限するパワーセーブ手段を備えた印刷装置の電源制御方法において、電源の切断を検出した後、印刷装置の状態に応じて待機時間を設定し、設定した待機時間経過後にパワーセーブ手段を操作して電源出力を垂下させるようにしたのである。
【００１０】
上記方法を採ることで、電源切断直前における消費電力が印刷装置の状態によって異なっていても、電源切断検出後に印刷装置の状態に応じた待機時間を設定し、その待機時間が経過した後にパワーセーブ手段を操作して消費電力の調整を行えるので、保持時間をほぼ一定にすることができるのである。
【発明の効果】
【００１１】
以上説明したように本発明によれば、パワーセーブ手段を備えた印刷装置において、電源切断時直前の印刷装置の状態に拘わらず、保持時間をほぼ一定にすることのできる印刷装置の電源制御方法を得ることができる。
【発明を実施するための最良の形態】
【００１２】
以下本発明による印刷装置の電源制御方法の一実施の形態を、図１及び図２に基づいて説明する。
【００１３】
印刷装置１は、制御部２と駆動部３と電源部４とから構成されており、電源部４は電源スイッチ５を介して外部の電源６に接続されている。そして、電源部４からの電源出力７を制御部２のパワーセーブ制御部（パワーセーブ手段）８を経由して各部位に供給している。
【００１４】
制御部２は、パワーセーブ制御部８から給電されると共に制御信号ａの授受を行う全体制御部９と、パワーセーブ制御部８から給電されると共に全体制御部９と制御信号ｂの授受を行う不揮発性メモリ１０と、パワーセーブ制御部８から給電されると共に全体制御部９と制御信号ｃの授受を行う通信部１１とを備えている。そして、制御部２の通信部１１は、印刷装置１の上位装置１２と制御信号ｄの授受を行っている。
【００１５】
駆動部３は、パワーセーブ制御部８から給電されると共に全体制御部９と制御信号ｅの授受を行う複数の駆動部位Ａ〜Ｃを備えている。
【００１６】
また、電源部４には、電源電圧の監視や電源スイッチ５の動作監視等により電源の切断を常に監視すると共に全体制御部９に電源切断信号ｆを出力する電源切断監視部（電源切断監視手段）１３が設けられている。
【００１７】
上記構成の印刷装置１において、通常時は、パワーセーブ制御部８は機能しておらず、この機能していないパワーセーブ制御部８を経由して各部位に電力が供給されている。また、パワーセーブ制御部８が機能しているときは、各部位に応じて給電を停止して消費電力の低減を図っている。尚、給電を停止する各部位の組合せ、例えば、駆動部３を構成する駆動部位Ａ〜Ｃへの給電有無を組合せることにより、複数種のパワーセーブモードを設定でき、木目細かに消費電力の低減を実施することができる。
【００１８】
次に、上記印刷装置１の電源切断時の状態について図１を併用して説明する。
【００１９】
まず、オペレータが印刷装置１の電源スイッチ５を切断すると、電源切断監視部１３により電源の切断が検出され、全体制御部９に電源切断信号ｆが送信される。電源切断信号ｆを受けた全体制御部９は、直ちに電源切断処理を実行する。全体制御部９による具体的な電源切断処理は、不揮発性メモリ１０に印刷量又は消耗品の使用量等を格納させる制御信号ｂを送信したり、通信部１１を介して上位装置１２に電源切断を報告する制御信号ｃ，ｄを送信したりすると同時に、現在の印刷装置１の状態、即ち、パワーセーブ制御部８の機能状態を確認する。
【００２０】
全体制御部９でパワーセーブ制御部８の機能状態を確認した結果、パワーセーブ制御部８が機能しておらず非パワーセーブモードにある場合には、全体制御部９で電源切断からの経過時間を計測し、任意の待機時間を設定する。この待機時間の設定は、装置状態が１種あるいは複数種、云い代えれば、駆動部位Ａ〜Ｃがいずれか一つあるいは駆動部位Ａ〜Ｃが複数種かによってあらかじめ計算あるいは実測によって決められる。そして、設定された待機時間が経過した後、パワーセーブ制御部８を操作して機能させ、パワーセーブモードに切り替える。パワーセーブモードに切り替えられた後は、その時点の消費電力に見合った保持時間経過して電源出力は垂下する。
【００２１】
他方、パワーセーブ制御部８が機能してパワーセーブモードにある場合には、全体制御部９で電源切断からの経過時間を計測し、任意の待機時間を設定する。この待機時間の設定は、パワーセーブモードが１種あるいは複数種かによってあらかじめ計算あるいは実測によって決められる。そして、設定された任意の待機時間が経過した後、パワーセーブ制御部８を操作して機能を停止させ、非パワーセーブモードに切り替える。非パワーセーブモードに切り替えられた後は、その時点の消費電力に見合った保持時間経過して電源出力は垂下する。
【００２２】
以上説明したように本実施の形態によれば、非パワーセーブモードあるいはパワーセーブモードに応じて任意の待機時間を設定し、その任意の待機時間待機させた後、パワーセーブモードあるいは非パワーセーブモードに切り替えることで、印刷装置１が非パワーセーブモードあるいはパワーセーブモードであるに拘わらず、保持時間をほぼ一定にすることができる。その結果、印刷装置１が非パワーセーブモードあるいはパワーセーブモードかによって異なっていた保持時間によるオペレータの誤解や誤操作をなくすことができる。
【００２３】
尚、待機時間の設定は、計算や実測に基づいてゼロ（電源切断検出後に即座にパワーセーブモードあるいは非パワーセーブモードに切り替える）となる場合も有り得る。
【図面の簡単な説明】
【００２４】
【図１】本発明による印刷装置の電源制御方法を示すフローチャート。
【図２】本発明による印刷装置を示す概念図。
【符号の説明】
【００２５】
１…印刷装置、２…制御部、３…駆動部、４…電源部、５…電源スイッチ、６…電源、７…電源出力、８…パワーセーブ制御部、９…全体制御部、１０…不揮発性メモリ、１１…通信部、１２…上位装置、１３…電源切断監視部、Ａ〜Ｃ…駆動部位、ａ〜ｆ…制御信号。
【図１】
2006069190.tif 000003
【図２】
2006069190.tif 000004